(57)【特許請求の範囲】
【請求項１】
他の画像入出力装置と通信可能な画像入出力装置において、
画像データを入力する入力手段と、
前記入力手段によって入力された画像データに基づいて用紙上に画像を出力する出力手段と、
前記出力手段によって画像を出力する際に用いる用紙のサイズをユーザに選択させるために、前記画像入出力装置が有する用紙のサイズに関する情報を表示する第１の表示手段と、
前記入力手段によって入力された画像データに基づく画像の出力を、前記出力手段と前記他の画像入出力装置が備える出力手段の両方を用いて実行する指示がされているか否かを判断する判断手段と、
前記他の画像入出力装置が有する用紙のサイズに関する情報を前記他の画像入出力装置から取得する取得手段と、
前記判断手段によって前記指示がされていると判断された場合、前記取得手段により取得した情報に基づいて、前記他の画像入出力装置と前記画像入出力装置とが共通に有する用紙のサイズに関する情報を、前記第１の表示手段によって表示される前記画像入出力装置が有する用紙のサイズに関する情報に代えて表示する第２の表示手段と、
前記第２の表示手段により表示された情報に基づき、前記入力手段によって入力された画像データを出力するための用紙のサイズを選択する選択手段と、
を有し、
前記画像入出力装置と前記他の画像入出力装置は、前記入力手段によって入力された画像データを、前記選択手段で選択されたサイズの用紙上に出力することを特徴とする画像入出力装置。
【請求項２】
前記画像入出力装置を含む、前記画像を出力可能な入出力装置の一覧を表示する第３の表示手段と、
前記第３の表示手段により表示された画像入出力装置の中から画像を出力させる複数の画像入出力装置を選択する装置選択手段と、
を更に有することを特徴とする請求項１記載の画像入出力装置。
【請求項３】
前記入力手段によって入力された画像データに基づく画像の出力を、前記出力手段と前記他の画像入出力装置が備える出力手段の両方を用いて実行する指示がされている場合、前記他の画像入出力装置において既に選択されている用紙のサイズの選択を無効にすることを特徴とする請求項１又は２に記載の画像入出力装置。
【請求項４】
前記選択手段は用紙のサイズの選択を自動的に行うことを特徴とする請求項１乃至請求項３のいずれかに記載の画像入出力装置。
【請求項５】
前記入力手段は、スキャナであることを特徴とする請求項１乃至４の何れか１項に記載の画像入出力装置。
【請求項６】
前記取得手段によって取得された情報に基づいて、前記他の画像入出力装置が有する用紙のサイズに関する情報を、前記第１の表示手段及び前記第２の表示手段によって表示される情報とは別に表示する第４の表示手段を有することを特徴とする請求項１乃至５の何れか１項に記載の画像入出力装置。
【請求項７】
前記第２の表示手段は、表示される情報が前記第１の表示手段によって表示される情報と異なることをユーザが識別できるように、前記用紙のサイズに関する情報を表示することを特徴とする請求項１乃至６の何れか１項に記載の画像入出力装置。
【請求項８】
他の画像入出力装置と通信可能な画像入出力装置の画像入出力制御方法において、
画像データを入力する入力ステップと、
前記入力ステップによって入力された画像データに基づいて用紙上に画像を出力する出力ステップと、
前記出力ステップによって画像を出力する際に用いる用紙のサイズをユーザに選択させるために、前記画像入出力装置が有する用紙のサイズに関する情報を表示する第１の表示ステップと、
前記入力ステップによって入力された画像データに基づく画像の出力を、前記出力ステップと前記他の画像入出力装置が備える出力ステップの両方を用いて実行する指示がされているか否かを判断する判断ステップと、
前記他の画像入出力装置が有する用紙のサイズに関する情報を前記他の画像入出力装置から取得する取得ステップと、
前記判断ステップによって前記指示がされていると判断された場合、前記取得ステップにより取得した情報に基づいて、前記他の画像入出力装置と前記画像入出力装置とが共通に有する用紙のサイズに関する情報を、前記第１の表示ステップによって表示される前記画像入出力装置が有する用紙のサイズに関する情報に代えて表示する第２の表示ステップと、
前記第２の表示ステップにより表示された情報に基づき、前記入力ステップによって入力された画像データを出力するための用紙のサイズを選択する選択ステップと、
を有し、
前記画像入出力装置と前記他の画像入出力装置は、前記入力ステップによって入力された画像データを、前記選択ステップで選択されたサイズの用紙上に出力することを特徴とする画像入出力制御方法。
【請求項９】
前記画像入出力装置を含む、前記画像を出力可能な入出力装置の一覧を表示する第３の表示ステップと、
前記第３の表示ステップにより表示された画像入出力装置の中から画像を出力させる複数の画像入出力装置を選択する装置選択ステップと、
を更に有することを特徴とする請求項８記載の画像入出力制御方法。
【請求項１０】
前記入力ステップによって入力された画像データに基づく画像の出力を、前記出力ステップと前記他の画像入出力装置が備える出力ステップの両方を用いて実行する指示がされている場合、前記他の画像入出力装置において既に選択されている用紙のサイズの選択を無効にすることを特徴とする請求項８又は９に記載の画像入出力制御方法。
【請求項１１】
前記選択ステップは用紙のサイズの選択を自動的に行うことを特徴とする請求項８乃至１０の何れか１項に記載の画像入出力制御方法。
【請求項１２】
前記入力ステップは、スキャナであることを特徴とする請求項８乃至１１の何れか１項に記載の画像入出力制御方法。
【請求項１３】
前記取得ステップによって取得された情報に基づいて、前記他の画像入出力装置が有する用紙のサイズに関する情報を、前記第１の表示ステップ及び前記第２の表示ステップによって表示される情報とは別に表示する第４の表示ステップを有することを特徴とする請求項８乃至１２の何れか１項に記載の画像入出力制御方法。
【請求項１４】
前記第２の表示ステップは、表示される情報が前記第１の表示ステップによって表示される情報と異なることをユーザが識別できるように、前記用紙のサイズに関する情報を表示することを特徴とする請求項８乃至１３の何れか１項に記載の画像入出力制御方法。
【発明の詳細な説明】
【０００１】
【発明の属する技術分野】
本発明は、画像入出力装置及び画像入出力制御方法に関し、より詳しくはネットワーク等の伝送媒体を介して接続された少なくとも１台以上の画像入出力装置に対しその画像出力を制御する画像入出力装置及び画像入出力制御方法に関する。
【０００２】
【従来の技術】
従来より、ネットワーク等の伝送媒体を介して複数の画像入出力装置を接続し、これら複数の画像入出力装置のうちの一の画像入出力装置に入力された画像データを伝送媒体上の他の画像入出力装置に同時出力する重連コピー（カスケードコピー）を行う画像処理システムが知られている。
【０００３】
この種の画像処理システムでは、同一機能を有し且つ同一設定がなされている画像入出力装置同士を伝送媒体を介して接続し、これにより重連コピーを行い、画像データの処理効率を高めている。
【０００４】
【発明が解決しようとする課題】
しかしながら、上述した従来の画像処理システムでは、同一機能を有し且つ同一設定がなされている画像入出力装置間で重連コピーを行う場合は、各画像入出力装置で同一の出力結果を得ることができるが、近年ではネットワーク環境の整備等により異なる機能を有する複数の画像入出力装置が接続されるようになってきており、したがって、このような機能や設定内容の異なる画像入出力装置同士を伝送媒体上に接続して重連コピーを行う場合、画像入出力装置の選択処理や出力条件の設定操作が複雑になるという問題点があった。
【０００５】
例えば、前記画像入出力装置が複数の給紙カセットを有し且つ自動用紙選択機能を有している場合、該画像入出力装置では複数の給紙カセットの中から読込画像の画像サイズに応じた最適給紙カセットを自動的に選択することができる一方で、自動用紙選択の対象とはならない用紙サイズを手動設定することも可能である。したがって、画像入出力装置間で出力条件が異なる設定がなされている場合もあり、このような場合、各画像入出力装置間で同一の画像出力結果を得ることができなくなり、このため、同一の画像出力結果を得るためにはユーザが詳細な出力情報を事前にチェックする必要があり、操作性が劣るという問題点があった。
【０００６】
本発明はこのような事情に鑑みなされたものであって、出力デバイスと自機とで出力可能な共通記録用紙を一覧表示することにより、重連コピー設定を容易に行い、操作性を向上させることのできる画像入出力装置及び画像入出力制御方法を提供することを目的とする。
【０００７】
【課題を解決するための手段】
上記目的を達成するために本発明の請求項１に係る画像入出力装置は、他の画像入出力装置と通信可能な画像入出力装置において、画像データを入力する入力手段と、前記入力手段によって入力された画像データに基づいて用紙上に画像を出力する出力手段と、前記出力手段によって画像を出力する際に用いる用紙のサイズをユーザに選択させるために、前記画像入出力装置が有する用紙のサイズに関する情報を表示する第１の表示手段と、前記入力手段によって入力された画像データに基づく画像の出力を、前記出力手段と前記他の画像入出力装置が備える出力手段の両方を用いて実行する指示がされているか否かを判断する判断手段と、前記他の画像入出力装置が有する用紙のサイズに関する情報を前記他の画像入出力装置から取得する取得手段と、前記判断手段によって前記指示がされていると判断された場合、前記取得手段により取得した情報に基づいて、前記他の画像入出力装置と前記画像入出力装置とが共通に有する用紙のサイズに関する情報を、前記第１の表示手段によって表示される前記画像入出力装置が有する用紙のサイズに関する情報に代えて表示する第２の表示手段と、前記第２の表示手段により表示された情報に基づき、前記入力手段によって入力された画像データを出力するための用紙のサイズを選択する選択手段と、を有し、前記画像入出力装置と前記他の画像入出力装置は、前記入力手段によって入力された画像データを、前記選択手段で選択されたサイズの用紙上に出力することを特徴とする。
【０００８】
上記目的を達成するために本発明の請求項８に係る画像入出力制御方法は、他の画像入出力装置と通信可能な画像入出力装置の画像入出力制御方法において、画像データを入力する入力ステップと、前記入力ステップによって入力された画像データに基づいて用紙上に画像を出力する出力ステップと、前記出力ステップによって画像を出力する際に用いる用紙のサイズをユーザに選択させるために、前記画像入出力装置が有する用紙のサイズに関する情報を表示する第１の表示ステップと、前記入力ステップによって入力された画像データに基づく画像の出力を、前記出力ステップと前記他の画像入出力装置が備える出力ステップの両方を用いて実行する指示がされているか否かを判断する判断ステップと、前記他の画像入出力装置が有する用紙のサイズに関する情報を前記他の画像入出力装置から取得する取得ステップと、前記判断ステップによって前記指示がされていると判断された場合、前記取得ステップにより取得した情報に基づいて、前記他の画像入出力装置と前記画像入出力装置とが共通に有する用紙のサイズに関する情報を、前記第１の表示ステップによって表示される前記画像入出力装置が有する用紙のサイズに関する情報に代えて表示する第２の表示ステップと、前記第２の表示ステップにより表示された情報に基づき、前記入力ステップによって入力された画像データを出力するための用紙のサイズを選択する選択ステップと、を有し、前記画像入出力装置と前記他の画像入出力装置は、前記入力ステップによって入力された画像データを、前記選択ステップで選択されたサイズの用紙上に出力することを特徴とする。
【００１０】
尚、本発明のその他の特徴は、下記の発明の実施の形態の記載より明らかとなろう。
【００１１】
【発明の実施の形態】
以下、本発明の実施の形態を図面に基づいて詳細に説明する。
【００１２】
図１は本発明に係る画像処理システムの一実施の形態を示すシステム構成図であって、該画像処理システムは、３台の画像入出力装置１（ローカルプリンタ１ａ、リモートプリンタ１ｂ、１ｃ）がネットワークとしてのＬＡＮ（域内通信網）２を介して接続されている。
【００１３】
各画像入出力装置１ａ〜１ｃは、画像データの読込み処理を行うスキャナ部３ａ〜３ｂと、画像データを出力するプリンタ部４ａ〜４ｃと、画像データの読取指示や出力指示を行う操作部５ａ〜５ｃと、ＬＡＮ２及びＷＡＮ（公衆電話回線網）６に接続されると共に上記各構成要素と接続されて装置全体の制御を行う制御部７ａ〜７ｃとを備えている。
【００１４】
そして、本実施の形態では、ローカルプリンタ１ａのスキャナ部３ａで画像データを読み込み、該読み込まれた画像データを自機のプリンタ部４ａに画像出力すると共に該画像データをリモートプリンタ１ｂにも転送し、該リモートプリンタ１ｂのプリンタ部４ｂからもプリンタ部４ａからの画像データと同一の画像データが同一の出力条件でもって画像出力される。
【００１５】
図２は画像処理装置１の外観を示す概略斜視図である。
【００１６】
プリンタ部４は画像処理装置１の下方に配設されている。該プリンタ部４は、ラスターイメージデータを記録用紙上で画像データに変換する部分であり、その方式は感光体ドラムや感光体ベルトを用いた電子写真方式、微少ノズルアレイからインクを吐出して用紙上に直接画像を印字するインクジェット方式、その他いずれの方式であってもよい。また、該プリンタ部４には、異なる用紙サイズや異なる用紙向きが選択できるように複数の給紙カセット（第１〜第３の給紙カセット８ａ〜８ｃ）が設けられ、また画像データの印字がなされた記録用紙を排紙する排紙トレイ９が設けられている。
【００１７】
また、前記プリンタ部４の上方にはスキャナ部３及び操作部５が配設されると共に、該スキャナ部３には原稿トレイ１０を有する原稿フィーダ部１１が載設されている。
【００１８】
図３は操作部５の外観を示す概略正面図である。
【００１９】
同図において、スタートキー１２は原稿画像の読み取り動作を開始する場合に操作する。スタートキー１２の中央部には、緑色又は赤色に点灯するＬＥＤ部１３が設けられ、該ＬＥＤ部１３の点灯色によってスタートキー１２が使用可能か否かを判断する。ストップキー１４は稼働中の動作を止める場合に操作し、リセットキー１５は操作部５の設定状態を初期化する場合に操作し、またＩＤキー１１６は、オペレータがユーザＩＤを入力する場合に操作する。そして、スタートキー１２、ストップキー１４、リセットキー１５及びＩＤキー１６で各種キー群１７を構成している。
【００２０】
また、ＬＣＤ表示部１８は、その表面にタッチパネルシート１９が貼着されており、システムの操作画面及びソフトキーを表示すると共に、表示されたソフトキーが押されるとその位置情報、すなわち座標情報を制御部７に送信する。
【００２１】
図４は、ＬＣＤ表示部１８の初期画面を示し、該初期画面ではローカルコピーモードであることが出力先表示部２９に表示されると共に、出力条件の設定・制御を行う各種ソフトキーが表示されている。
【００２２】
同図において、ダイレクトキー２０は入力画像に対し等倍でもって画像出力するときに押下し、ズームキー２１は入力画像を変倍して出力するための変倍設定を行うときに押下し、また用紙選択キー２２は出力用紙の用紙サイズを選択設定するときに押下する。両面コピーキー２３は記録用紙の両面に印刷出力するときに押下し、フィニッシングキー２４は出力用紙のソート設定を行うときに押下し、濃度設定キー２５は画像出力濃度を設定変更を行うときに押下し、また応用モード設定キー２６は他の応用機能を設定するときに押下する。
【００２３】
ワンタッチ・カスケードキー２７は、読取画像をＬＡＮ２上の複数の画像処理装置に同時出力するカスケードコピーの設定を簡便に行うときに押下し、出力デバイス選択キー２８は画像データを出力する画像処理装置を選択設定するときに押下する。
【００２４】
また、出力先表示部２９は実際の出力先を表示し、自機への画像出力を行うローカルコピーモード、ＬＡＮ２上の他の画像出力装置に出力するリモートコピーモード、或いは上述したカスケードコピーモードに設定することができ、斯かる設定モードや出力先デバイス、変倍率、記録用紙の用紙サイズ、コピー枚数等が出力先表示部２９に表示される。
【００２５】
そして、上述した各種ソフトキーを押下することにより、後述するように詳細設定のためのウィンドウが適宜表示され、リモートコピーや、カスケードコピーを行うことができる。
【００２６】
図５は制御部７の詳細を示すブロック構成図である。
【００２７】
ＣＰＵ３０はシステム全体を制御するコントローラである。ＲＡＭ３１は画像データやその他の演算データを一時的に記憶したりＣＰＵ３０のワークエリアとして使用される。ＲＯＭ３２はブートプログラムや後述する制御プログラム等が格納され、ハードディスクドライブ（ＨＤＤ）３３はシステムのソフトウェアや画像データが格納される。操作Ｉ／Ｆ部３４は操作部５との間でインターフェース動作を司る。ネットワークＩ／Ｆ部３５はＬＡＮ２に接続されてＬＡＮ２との間で各種情報の入出力処理を行い、モデム３６はＷＡＮ６に接続されてＷＡＮ６との間で各種情報の入出力処理を行う。
【００２８】
そして、上述した各構成要素はシステムバス３７を介して互いに接続されている。
【００２９】
画像Ｉ／Ｆ部３８は、システムバス３７と画像バス３９とを接続してデータ構造を変換する。
【００３０】
画像バス３９は、ＰＣＩバス又はＩＥＥＥ１３９４で構成され、画像データを高速で転送する。そして、該画像バス３９にはラスターイメージプロセッサ（ＲＩＰ）部４０、デバイスＩ／Ｆ部４１、スキャナ画像処理部４２、プリンタ画像処理部４３、画像回転部４４、及び画像圧縮部４５が接続されている。
【００３１】
ＲＩＰ部４０は、ＰＤＬコードをビットマップイメージに展開する。デバイスＩ／Ｆ部４１は、スキャナ部３及びプリンタ部４と接続され、画像データの同期系／非同期系の変換を行う。スキャナ画像処理部４２は、入力画像データに対し補正、加工、編集を行う。プリンタ画像処理部４３は、プリント出力画像データに対して、プリンタの補正、解像度変換等を行う。画像回転部４４は画像データの回転を行う。画像圧縮部４５は、多値画像データに対してはＪＰＥＧ、二値画像データに対してはＪＢＩＧ、ＭＭＲ、ＭＨ等の圧縮伸張処理を行う。
【００３２】
このように構成された画像処理装置１においては、原稿用紙が原稿フィーダ１１の原稿トレイ１０にセットされ、ユーザが操作部５を操作して読取起動の指示を発すると、制御部７のＣＰＵ３０がスキャナ部３に対し原稿画像の読取指示を行う。そして、これにより、原稿画像は原稿フィーダ１１から１枚ずつスキャナ部３に供給され、原稿画像を照明し、ＣＣＤラインセンサ（図示せず）を走査して原稿画像をラスターイメージデータとして電気信号に変換する。
【００３３】
また、プリンタ部４は、ＣＰＵ３０からの指示によってプリント動作を開始し、出力情報としての画像信号を出力する。すなわち、プリンタ部４は、ＲＯＭ３２に格納されている制御プログラムに基づきＣＰＵ３０がシステムバス３７に接続される各種デバイスとのアクセスを総括的に制御し、スキャナ部３から入力情報を読み込み、プリンタ部４に出力する。
【００３４】
図６は、操作部５と操作Ｉ／Ｆ部３４との接続関係を示すブロック構成図であって、操作Ｉ／Ｆ部３４は、入力ポート３４ａと出力ポート３４ｂとを有し、入力ポート３４ａは各種キー群１７及びタッチパネル１９と接続され、出力ポート３４ｂはＬＣＤ表示部１８及びＬＥＤ部１３と接続されている。
【００３５】
そして、該操作部５では、タッチパネル１９や各種キー群１７からのユーザ入力を受け取り操作Ｉ／Ｆ部３４の入力ポート３４ａを介して操作内容を取得し、取得した操作内容やＲＯＭ３２に格納されている制御プログラムに基づいてＣＰＵ３０が表示画面データを作成し、操作Ｉ／Ｆ部３４の出力ポート３４ｂを介して、ＬＣＤ表示部１８に出力する。
【００３６】
また、該操作部５では、タッチパネル１９の押下等、表示画面上の操作を行うことによりＬＣＤ表示部１８の表示を切り替え、印刷物の出力先デバイスを指定したり、出力先に対応した用紙選択画面を表示し、所望の用紙サイズの入力を行う。
【００３７】
図７は初期画面（図４）で出力デバイス選択キー２８が押下された場合に表示されるプリンタ選択ウィンドウを示し、該プリンタ選択ウィンドウを操作してカスケードコピーの出力先を設定する。
【００３８】
すなわち、出力デバイス選択キー２８が押下されると、表示画面は、図７に示すようなプリンタ選択ウィンドウに切り替わる。該プリンタ選択ウィンドウは、複数の出力可能デバイス表示領域（本実施の形態では、第１及び第２の出力可能デバイス表示領域４６ａ、４６ｂ）を有し、各出力可能デバイス表示領域４６ａ、４６ｂには出力可能な各出力デバイスが表示され、これにより出力可能デバイスが一覧表示される。本実施の形態では、自機であるローカルプリンタ１ａ、及びＬＡＮ２に接続されているリモートプリンタ１ｂが表示されている。
【００３９】
初期画面で出力デバイス選択キー２８が押下された状態では出力モードはローカルコピーモードに設定されており、第１の出力可能表示領域４６ａにはローカルプリンタ１ａが反転表示され（図中、斜線で示す）、リモートプリンタ１ｂを示すアイコンや状況、デバイス名が表示される。そして、この状態で重連コピーキー４７を押下すると、リモートプリンタ１ｂにチェックマークが付され（図中、「Ａ」で示す）、これによりカスケードコピーを行うＬＡＮ２上の出力デバイスが特定される。
【００４０】
尚、本実施の形態では、プリンタ選択ウィンドウには自機であるローカルプリンタ１ａと１台のリモートプリンタ１ｂがＬＡＮ２上に接続されている場合を例示しているが、２台以上のリモートプリンタがＬＡＮ２上に接続されている場合はプリンタ選択ウィンドウにはＬＡＮ２上の全てのリモートプリンタが一覧表示される。そして、この場合、重連コピーキー４７を順次押下することにより、各リモートプリンタにチェックマークが付され、また重連コピーキー４７を所定回押下することにより特定のリモートプリンタに対し重連コピーの設定を解除することができる。
【００４１】
そして、クローズドキー６１を押下するとプリンタ選択ウィンドウは閉じ、上述のように出力モードがカスケードコピーモードに設定されている場合は、表示画面が図８に示すカスケード標準画面に切り替わる。すなわち、該カスケード標準画面においては、出力先表示部３５にはカスケードコピーの設定を示すカスケードアイコン５１やカスケードコピー設定を示す文字列５２が表示されている。
【００４２】
また、リモートプリンタ１ｂの詳細情報は詳細情報キー４８を押下することにより確認することができる。
【００４３】
図９は詳細情報キー４８を押下することにより表示される詳細情報設定ウィンドウである。用紙選択領域４９には記録用紙の用紙サイズが表示され、カスケードコピーを行うときはＬＡＮ２を介して用紙選択領域４９でチェックマークが付されている記録用紙情報を取得し、カスケードコピーで使用される出力用紙の設定を行う。
【００４４】
尚、クローズドキー６２を押下すると該詳細情報ウィンドウは閉じて表示画面はプリンタ選択ウィンドウ（図７）に切り替わる。
【００４５】
また、上記カスケード標準画面（図８）で用紙選択キー２２が押下されると、表示画面は図１０に示す用紙選択ウィンドウに切り替わり、該用紙選択ウィンドウで各出力デバイスから出力される記録用紙を選択する。すなわち、用紙選択ウィンドウは出力用紙サイズ表示域５０を有し、該出力用紙サイズ表示域５０にはローカルプリンタ１ａ及び選択されたリモートプリンタ１ｂの双方で出力可能な共通記録用紙の用紙サイズが表示される。そして、本実施の形態では自動用紙選択が選択され、これにより出力用紙サイズ表示域５０に表示されている用紙サイズ（本実施の形態では、Ｂ４、Ａ３、Ａ４、封筒）の中から出力用紙が自動的に選択され、該選択された出力用紙に画像データが出力される。
【００４６】
尚、自動用紙選択に設定されていない場合は、ユーザが出力用紙サイズ表示域５０に表示されている用紙サイズを任意に選択し、該選択された出力用紙に画像データが出力される。
【００４７】
このようにしてローカルプリンタ１ａ及びリモートプリンタ１ｂの双方で同一用紙サイズの出力用紙に画像データを出力することが可能となる。
【００４８】
尚、クローズドキー６３を押下することにより、用紙選択ウィンドウは閉じて表示画面はカスケード標準画面（図８）に切り替わる。
【００４９】
図１１はＬＣＤ表示部１８に表示されるソフトキーの操作手順を示すフローチャートであって、本プログラムはＲＯＭ３２に格納され、ＣＰＵ３０で実行される。
【００５０】
ステップＳ１ではタッチパネル１９のいずれかのソフトキーが押下されたか否かを判断し、押下されていない場合は押下されるのを待機する一方、いずれかのソフトキーが押下された場合は、ステップＳ２に進み、現在表示されている表示画面に基づき押下されたソフトキーを判定する。そして続くステップＳ３では押下されたソフトキーに応じた所定の処理を実行し、ステップＳ１に戻る。すなわち、押下されたソフトキーに応じて、例えば、ＲＯＭ３２に格納されているビットマップデータをＬＣＤ表示部１８に転送して表示したり、或いは設定内容をＲＡＭ３１に記憶し、ステップＳ１に戻る。
【００５１】
そして、カスケードコピーを行う場合は、出力デバイス選択キー２８や用紙選択キー２２を押下し、カスケードコピーの設定処理や出力用紙の設定処理を行い、コピー動作を実行する。
【００５２】
図１２はカスケードコピーを行う場合の出力用紙設定手順を示すフローチャートである。
【００５３】
ステップＳ１１では用紙選択キー２２が押下された否かを判断し、用紙選択キー２２が押下された場合は用紙選択ウィンドウ（図１０）に表示画面が切り替わると共に、カスケードコピーモードに設定されているか否かを判断する。そして、カスケードコピーモードに設定されている場合、例えばリモートプリンタ１ｂが重連コピー用として既に選択されている場合は、該用紙選択ウィンドウにローカルプリンタ１ａとリモートプリンタ１ｂの双方で出力可能な記録用紙の用紙サイズを表示し、その後、ステップＳ１５に進む。一方、カスケードコピーモードに設定されていない場合、すなわちローカルコピーモードに設定されている場合はステップＳ１４に進み、ローカルプリンタ１ａにセットされている用紙サイズを用紙選択ウィンドウに表示した後、ステップＳ１５に進む。
【００５４】
そして、ステップＳ１５では用紙選択ウィンドウのクローズドキー６３が押下されるのを待機し、クローズドキー６３の押下によりステップＳ１１に戻る。
【００５５】
一方、ステップＳ１１で用紙選択キー２２が押下されなかった場合はステップＳ１６に進み、出力デバイス選択キー２８が押下されたか否かを判断し、出力デバイス選択キー２８が押下された場合はプリンタ選択ウィンドウに表示画面を切り替え、登録されている出力可能なプリンタの一覧を表示する。このとき現在出力対象となっている出力デバイス（例えば、ローカルプリンタ１ａ）にはチェックマークが付されている。
【００５６】
続くステップＳ１８では重連コピーキー４７が押下されたか否かを判断し、重連コピーキー４７が押下されていない場合はステップＳ１７に戻る一方、重連コピーキー４７が押下された場合は重連コピーの対象となるリモートプリンタ１ｂにチェックマークを付し、クローズドキー６１を押下して表示画面をカスケード表示画面（図８）に切り替えた後、ステップＳ１９に進む。
【００５７】
ステップＳ１９ではリモートプリンタ１ｂで設定されている記録用紙の用紙サイズと同一の用紙サイズが選択されているか否かを判断し、その結果をカスケード表示画面の出力先表示部２９に表示する。そして、その答が肯定（Ｙｅｓ）の場合は直ちにステップＳ２１に進む一方、その答が否定（Ｎｏ）の場合はステップＳ２０に進み、選択されている記録用紙の用紙サイズ情報をクリアし、読込画像に応じて応用モード設定キー２６やズームキー２１を押下し、設定可能なモードから自動的に用紙サイズを決定する「自動用紙選択」に設定し、ステップＳ２１に進む。すなわち、ローカルプリンタ１ａとリモートプリンタ１ｂとで出力用紙が異なる場合は同一出力条件下での出力画像を得ることができないため、ローカルプリンタ１ａで選択されている用紙サイズ情報をクリアし、リモートプリンタ１ｂでも出力可能な記録用紙が選択されるように自動用紙選択に設定する。
【００５８】
次いで、ステップＳ２１では、プリンタ選択ウィンドウ上での選択されているリモートプリンタ１ｂとローカルプリンタ１ａとを反転表示し、ステップＳ２２ではクローズドキー６１が押下されるのを待機し、クローズドキー６１が押下されるとステップＳ１１に戻る。
【００５９】
そしてその後、ステップＳ１６の答が否定（Ｎｏ）のときはステップＳ２３に進み、操作部５のスタートキー１２（図３参照）の押下を待機し、スタートキー１２が押下されていない場合はステップＳ１１に戻る一方、スタートキー１２が押下されるとステップＳ２３でコピー動作を開始し、処理を終了する。
【００６０】
このようにしてカスケードコピーモード時におけるリモートプリンタ１ｂの詳細な情報を一々チェックすることなく出力可能な記録用紙を自動的に選択することができ、操作性の向上を図ることができる。
【００６１】
次に、リモートプリンタ１ｂ側でローカルプリンタ１ａの設定と合致するように出力条件を設定する場合について説明する。
【００６２】
図１３はリモートプリンタ１ｂの出力制御をカスタマイズする共通仕様設定ウィンドウの表示画面である。
【００６３】
すなわち、該共通仕様設定ウィンドウでカセットオート選択キー５３を押下すると、図１４に示すコピー用紙選択ウィンドウが表示される。該コピー用紙選択ウィンドウは、リモートプリンタ１ｂに収容されている記録用紙の用紙サイズ表示領域５４と、該用紙サイズ表示領域５４に表示されている各記録用紙に対し自動用紙選択を行うか否かを設定するオン／オフキー表示領域５５とを有している。そして、オン／オフキー表示領域５５に表示されている各オン／オフキーでオフを選択することにより、リモートプリンタ１ｂ側でコピー動作を行う場合はオフ状態とされた記録用紙の使用ができなくなるが、カスケードコピーにおいてはローカルプリンタ１ａの設定を有効とする必要があり、このためリモートプリンタ１ｂでは図１５に示すフローチャートに従って出力条件を制御する。
【００６４】
すなわち、ステップＳ３１でリモートプリンタ１ｂが画像出力要求待機状態になるとステップＳ３２に進んで画像出力要求があるか否かを判断し、画像出力要求がある場合はステップＳ３３に進み、出力すべき画像情報に基づいて画像サイズを算出し、続くステップＳ３４ではカスケードコピーでの出力要求か否かを判断する。そして、カスケードコピーでの出力要求が指示されている場合は、ローカルプリンタ１ａの出力条件を有効とする必要があり、図１４のコピー用紙選択ウィンドウで選択された用紙選択情報を一時的に無効として、ステップＳ３３で算出された画像サイズに基づきローカルプリンタ１ａの出力条件と同一となるよな給紙カセットを選択し、ステップＳ３６に進んで選択された給紙カセットから記録用紙を給紙し画像データを出力する。
【００６５】
一方、ステップＳ３４でカスケードコピーでの出力要求が指示されていない場合はステップＳ３７に進み、ステップＳ３３で算出された画像サイズに基づき最適な給紙カセットを選択し、続くステップＳ３８で選択された給紙カセットの記録用紙は自動選択可能な記録用紙か否かを判断する。そして、その答が肯定（Ｙｅｓ）の場合はステップＳ３６に進み、選択された記録用紙に画像データを出力する一方、その答が否定（Ｎｏ）の場合は検索すべき記録用紙が存在するか否かを判断する。そして、その答が肯定（Ｙｅｓ）の場合はステップＳ３７に戻って再度検索を行い、その答が否定（Ｎｏ）の場合は最適用紙サイズの記録用紙が選択できない旨を操作部５のＬＣＤ表示部２９に表示し、処理を終了する。
【００６６】
このように本実施の形態ではカスケードコピーの要求を受信したリモートプリンタ１ｂは、用紙情報の設定を一時的に無効とし、ローカルプリンタ１ａ側で設定されている出力用紙に合致させるように出力条件を一致させているので、リモートプリンタ１ｂはコピー動作を停止することもなく、ローカルプリンタ１ａと同一の画像出力結果を容易に得ることができる。
【００６７】
【発明の効果】
以上詳述したように本発明によれば、カスケードコピーモードに設定されたときはデバイス間で共通の記録用紙を自動的に一覧表示するようにし、該表示された記録用紙の中から選択された出力用紙に画像データを出力しているので、操作性が向上され、ユーザは容易な設定により各デバイス間で同一の画像出力結果を得ることができる。
【００６８】
また、カスケードコピーを行う際の伝送媒体上に接続された出力デバイスの設定情報を一時的に無効とし、出力デバイス側で自動的に送信元の画像入出力装置と同一の記録用紙を選択・設定することにより、送信元の画像入出力装置と送信先の画像入出力装置とで同一の画像出力結果を得ることができる。
【図面の簡単な説明】
【図１】本発明に係る画像処理システムの一実施の形態を示す全体構成図である。
【図２】画像入出力装置の概略斜視図である。
【図３】操作部の概略を示す正面図である。
【図４】操作部のＬＣＤ表示部の初期画面を示す図である。
【図５】制御部のブロック構成図である。
【図６】制御部と操作部の関係を示すブロック構成図である。
【図７】プリンタ選択ウィンドウである。
【図８】カスケード標準画面を示すウィンドウである。
【図９】詳細情報表示ウィンドウである。
【図１０】用紙選択ウィンドウである。
【図１１】ＬＣＤ表示部のソフトキーの操作手順を示すフローチャートである。
【図１２】ローカルプリンタで実行される記録用紙設定手順のフローチャートである。
【図１３】共通仕様設定ウィンドウである。
【図１４】自動用紙選択設定ウィンドウである。
【図１５】リモートプリンタで実行される記録用紙設定手順のフローチャートである。
【符号の説明】
１ａ  ローカルプリンタ
１ｂ  リモートプリンタ
１ｃ  リモートプリンタ
２    ＬＡＮ
３    スキャナ部
５    操作部
２２  用紙選択キー
２８  出力デバイス選択キー
【図１】
0004235348.tif 000002
【図２】
0004235348.tif 000003
【図３】
0004235348.tif 000004
【図４】
0004235348.tif 000005
【図５】
0004235348.tif 000006
【図６】
0004235348.tif 000007
【図７】
0004235348.tif 000008
【図８】
0004235348.tif 000009
【図９】
0004235348.tif 000010
【図１０】
0004235348.tif 000011
【図１１】
0004235348.tif 000012
【図１２】
0004235348.tif 000013
【図１３】
0004235348.tif 000014
【図１４】
0004235348.tif 000015
【図１５】
0004235348.tif 000016